(57)【特許請求の範囲】
【請求項１】
筐体と、前記筐体内に設けられた圧縮機、熱交換器及び送風機と、前記圧縮機及び前記送風機を制御するための電気部品を収容する一部が開口する箱体で構成する電気部品箱と、前記圧縮機及び前記送風機と前記電気部品とを電気的に接続する複数の接続線と、を備えた空気調和機の室外機において、
前記電気部品箱の全体を覆う網目状の袋体を備え、
前記袋体は、
網目の大きさが３ｍｍ以上で１０ｍｍ以下の範囲内であり、前記接続線を外部に引き出すための開口部を有しており、
前記開口部は、前記接続線と共に塞ぎ部材により塞がれていることを特徴とする空気調和機の室外機。  
【請求項２】
前記袋体は、前記開口部を複数有していることを特徴とする請求項１記載の空気調和機の室外機。
【請求項３】
前記塞ぎ部材は、結束部材であり、
前記開口部は、複数の接続線を束ねて当該開口部から外部に引き出した後に、当該接続線が前記結束部材により袋体ごと結束されて塞がれることを特徴とする請求項１または請求項２記載の空気調和機の室外機。
【発明の詳細な説明】
【技術分野】
【０００１】
本発明は、空気調和機の室外機に関する。
【背景技術】
【０００２】
空気調和機の室外機は、通常、その筐体内に圧縮機、熱交換器、送風機等を備えており、加えて、それらを制御するための複数の電気部品（電子部品も含む）を収容する電気部品箱を備えている。各電気部品は電気部品箱内の制御基板に実装されており、その電気部品箱が筐体内の機械室に設けられている。
【０００３】
前述の室外機では、その筐体内の機械室は冬季でも通電中暖かいことから、ヤモリ等の小動物あるいはアリ等の昆虫が好んで機械室内に侵入するため、制御基板の配線パターン上を動き回って活動部でショートさせる事故が発生してしまう。これにより、室外機が故障してしまうことがある。この対策としては、制御基板全体を樹脂封止する技術や構造物の隙間をシールして機械室全体の密封度を上げる技術等が提案されている（例えば、特許文献１参照）。
【特許文献１】特開２０００−８８２８１号公報
【発明の開示】
【発明が解決しようとする課題】
【０００４】
しかしながら、前述の制御基板全体を樹脂封止する技術では、電気部品の空冷特性が低下してしまい、さらに、製造工程が増加し、コストが高くなってしまう。加えて、前述の機械室全体の密封度を上げる技術でも、コストが高くなってしまい、さらに、小動物や昆虫の侵入を完全に防ぐことができない。
【０００５】
本発明は上記課題を解決するためになされたものであり、その目的は、電気部品箱内の電気部品の空冷特性を損なうことなく、その電気部品箱に対する小動物や昆虫の侵入に起因する故障を低コストで容易に防止することができる空気調和機の室外機を提供することである。
【課題を解決するための手段】
【０００６】
本発明の実施の形態に係る特徴は、空気調和機の室外機において、筐体と、前記筐体内に設けられた圧縮機、熱交換器及び送風機と、前記圧縮機及び前記送風機を制御するための電気部品を収容する一部が開口する箱体で構成する電気部品箱と、前記圧縮機及び前記送風機と前記電気部品とを電気的に接続する複数の接続線と、を備えた空気調和機の室外機において、前記電気部品箱の全体を覆う網目状の袋体を備え、前記袋体は、網目の大きさが３ｍｍ以上で１０ｍｍ以下の範囲内であり、前記接続線を外部に引き出すための開口部を有しており、前記開口部は、前記接続線と共に塞ぎ部材により塞がれていることを特徴とすることである。
【発明の効果】
【０００７】
本発明によれば、電気部品箱内の電気部品の空冷特性を損なうことなく、その電気部品箱に対する小動物や昆虫の侵入に起因する故障を低コストで容易に防止することができる空気調和機の室外機を提供することができる。
【発明を実施するための最良の形態】
【０００８】
本発明の実施の一形態について図１乃至図３を参照して説明する。
【０００９】
図１に示すように、本発明の実施の形態に係る空気調和機の室外機１は、本体となる筐体２と、その筐体２内に設けられた圧縮機３、熱交換器４及び送風機５と、それらの圧縮機３及び送風機５を制御するための複数の電気部品Ｄ（図２参照）を有する電気部品箱６と、その電気部品箱６の全体を覆う網目状の袋体７とを備えている。
【００１０】
筐体２は、圧縮機３、熱交換器４及び送風機５等が載置される底板２ａと、この底板２ａから立設され前面壁を形成する前面板２ｂと、底板２ａから立設され側面壁をそれぞれ形成する２枚の側面板２ｃ、２ｄと、それらの前面板２ｂ及び各側面板２ｃ、２ｄとにより形成される上部開口を覆う天板２ｅとにより構成されている。この筐体２は、底板２ａに立設された仕切板２ｆにより熱交換室と機械室とに区分されている。前面板２ｂは、送風機５に対向する位置に吹出口Ｋを有している。この前面板２ｂには、その吹出口Ｋを覆うファンガードＧが設けられている。また、側面板２ｄには、パックドバルブカバーＣが着脱可能に設けられている。
【００１１】
圧縮機３は、筐体２の機械室内に設けられている。この機械室には、圧縮機３に加え、アキュムレータ、弁類及び配管等も設けられている。また、熱交換器４は、筐体２の背面壁を形成するように底板２ａ上に設けられている。この熱交換器４は、平面視Ｌ字形状に形成されており、送風機５の背面側から一側面側にかけて送風機５を囲むように配置されている。送風機５は、筐体２の熱交換室内に設けられている。この送風機５は、軸を中心として回転可能に設けられたプロペラファン５ａと、そのプロペラファン５ａを回転させるファンモータ５ｂとを備えている。このような送風機５は、ファンモータ５ｂによりプロペラファン５ａを回転させ、吹出口Ｋに向けて風を送る送風動作を行う。
【００１２】
電気部品箱６は、図２に示すように、各電気部品Ｄを実装した制御基板６ａと、その制御基板６ａを内側に支持する枠状の支持体６ｂと、その支持体６ｂ上に設けられた蓋状の天板６ｃと、制御基板６ａ上の各電気部品Ｄを覆う部品箱本体６ｄとを備えている。この電気部品箱６は、一部が開口する箱体である。制御基板６ａは、例えば、プリント配線基板である。この制御基板６ａには、各電気部品Ｄとして、例えば、電界コンデンサ、コネクタ及びファストン端子等が実装されている。このコネクタやファストン端子は電気部品箱６の開口側に配置されている。さらに、制御基板６ａには、放熱フィンＦを有するパワートランジスタモジュール等も実装されている。また、各電気部品Ｄと圧縮機３及び送風機５とは、リード線等の複数の接続線Ｓにより電気的に接続されている。これらの接続線Ｓは、締結部材Ｂ１により一つに束ねられている。この締結部材Ｂ１としては、例えば、結束バンドやビニールテープ等を用いることが可能である。このような電気部品箱６は、仕切板２ｆの上端と天板２ｅとの間に位置付けられ、圧縮機３の上方に設けられている（図１参照）。この電気部品箱６の一部は筐体２の機械室に設けられており、その放熱フィンＦ側の一部は筐体２の熱交換室に設けられている。
【００１３】
袋体７は、網目状（メッシュ状）に形成されている袋であって、その袋の口となる開口部７ａを有する袋である。この袋体７は、図３に示すように、電気部品箱６の全体を覆い、さらに、１つに束ねられた各接続線Ｓが開口部７ａから出るように設けられている。このとき、袋体７の開口部７ａは、各接続線Ｓと共に塞ぎ部材Ｂ２により閉口されている。この塞ぎ部材Ｂ２としては、例えば、結束バンドやビニールテープ等を用いることが可能である。加えて、袋体７は、例えば、網目の大きさが３ｍｍ〜１０ｍｍの範囲内（３ｍｍ以上で１０ｍｍ以下の範囲内）に入るように形成されている。この大きさは、各電気部品Ｄの空冷特性を低下させることなく、ヤモリ程度の大きさの小動物の侵入を確実に防止することできるサイズである。また、袋体７の厚さは１ｍｍや２ｍｍ程度の厚さ以下であり、電気部品箱６取付用の構造体（例えば、係止片や係止爪、ネジ固定用構造体等）を変更せずに取付可能な薄さに設定されている。なお、袋体７は、例えば、ポリアミド系樹脂やポリエステル系樹脂等の樹脂材料により形成されている。
【００１４】
次に、前述の室外機１の空調動作について説明する。なお、空気調和機は、室外に設けられる前述の室外機１と、家庭やビル等の室内に設けられ室内の空気を調整する室内機とにより構成されている。空気調和機は、各種の運転モードに応じて、冷気、送風及び暖気のいずれかを室内に送風し、室内の空気温度や空気循環等を調整する。
【００１５】
室外機１は、圧縮機３及び送風機５の駆動により室内機と協働して空調動作を行う。室外機１の運転により、圧縮機３からの吐出冷媒あるいは圧縮機３に戻る冷媒は熱交換器４によって熱交換される。熱交換器４での熱交換は、送風機５の駆動により筐体２の背面や側面から吸い込まれた外気が熱交換器４を通過することによって行われる。熱交換された外気は、筐体２の吹出口ＫからファンガードＧを通して吹き出される。
【００１６】
このような空調動作により、通電中や通電後、筐体２の機械室は冬季でも暖かくなる。このため、ヤモリ等の小動物あるいはアリ等の昆虫が好んで機械室内に侵入しようとする。このとき、電気部品箱６は網目状の袋体７により覆われているので、電気部品箱６内に対する小動物や昆虫の侵入を防止することが可能となる。さらに、網目状の袋体７が用いられているので、その内部の各電気部品Ｄの空冷特性は維持されており、空冷構造に与える影響を抑えることができる。なお、袋体７の網目の大きさを小さくし過ぎると、空冷特性に悪影響を与えてしまう。したがって、ヤモリなどの小動物にターゲットを絞った場合には、袋体７の網目の大きさを３ｍｍ〜１０ｍｍの範囲内にすることが好ましい。
【００１７】
また、袋体７を用いることによって、電気部品箱６の全体を覆うことが可能になり、部品同士の隙間や製造制約上発生してしまう隙間をまとめて覆うことができる。加えて、袋体７の厚みは、電気部品箱６取付用の構造体を変更せずに取付可能な薄さである。これにより、電気部品箱６を通常の構造体（例えば、係止片や係止爪、ネジ固定用構造体等）にそのまま取り付けることができる。さらに、袋体７を後付けすることが可能であり、これは現地対応等に適している。
【００１８】
以上説明したように、本発明の実施の形態によれば、電気部品箱６の全体を覆う網目状の袋体７を設けることによって、網目状の袋体７により電気部品箱６は覆われ、その内部の電気部品Ｄの空冷特性が維持された状態で、電気部品箱６内に対する小動物や昆虫の侵入を防止することが可能となる。加えて、網目状の袋体７を用いることによって、制御基板全体を樹脂封止する場合や隙間をシールして機械室全体の密封度を上げる場合に比べ、コストを抑えることが可能になり、さらに、容易に電気部品箱６を覆うことが可能になる。これらから、電気部品箱６内の電気部品Ｄの空冷特性を損なうことなく、その電気部品箱６に対する小動物や昆虫の侵入に起因する室外機１の故障を低コストで容易に防止することができる。
【００１９】
また、袋体７は、圧縮機３及び送風機５と電気部品Ｄとを接続する接続線Ｓを外部に引き出すための開口部７ａを有しており、その開口部７ａは接続線Ｓと共に塞ぎ部材Ｂ２により塞がれていることから、袋体７から外部に引き出す必要がある接続線Ｓを外部に引き出すことができ、加えて、そのための開口部７ａも完全に閉口されるので、小動物や昆虫の侵入を確実に防止することができる。
【００２０】
加えて、袋体７の網目の大きさは３ｍｍ以上で１０ｍｍ以下の範囲内であることから、袋体７の網目の大きさが３ｍｍより小さい場合に比べ、空冷特性を向上させることができ、さらに、ヤモリ程度の大きさの小動物の侵入を確実に防止することができる。これは、ヤモリなどの小動物にターゲットを絞った場合に有効である。
【００２１】
（他の実施の形態）
なお、本発明は前述の実施の形態に限定されるものではなく、その要旨を逸脱しない範囲において種々変更可能である。
【００２２】
例えば、前述の実施の形態においては、複数の接続線Ｓを袋体７の開口部７ａから外部に引き出しているが、これに限るものではなく、例えば、全ての接続線Ｓを袋体７の開口部７ａから外部に引き出せない場合には、図４に示すように、開口部７ａから外部に引き出せない接続線Ｓに対応する部位に開口部７ｂを形成し、その開口部７ｂから接続線Ｓを外部に引き出し、その開口部７ｂを接続線Ｓと共に塞ぎ部材Ｂ３により塞ぐようにしてもよい。この塞ぎ部材Ｂ３としては、例えば、結束バンドやビニールテープ等を用いることが可能である。なお、開口部７ｂは、例えば、ハサミやナイフ等により袋体７に切り込みを入れることにより形成されている。
【００２３】
このように袋体７に開口部７ａ以外の開口部７ｂを設けることによって、袋体７は複数の開口部７ａ、７ｂを有することになり、接続線Ｓを複数箇所から外部に引き出すことが可能になるので、様々なレイアウトに対応することができ、さらに、袋体７から接続線Ｓを外部に引き出す位置に関する自由度が上がるので、袋体７の取付作業性を向上させることができる。なお、袋体７には、自由に開口部７ｂを設けることが可能であるので、必ずしも袋体７の口である開口部７ａから接続線Ｓを外部に引き出す必要はなく、開口部７ａは閉口されていてもよい。
【００２４】
また、前述の実施の形態においては、ポリアミド系樹脂やポリエステル系樹脂等の樹脂材料により形成された袋体７を用いているが、これに限るものではなく、他の材料により形成された袋体７を用いるようにしてもよい。
【図面の簡単な説明】
【００２５】
【図１】本発明の実施の一形態に係る空気調和機の室外機の概略構成を分解して示す分解斜視図である。
【図２】図１に示す室外機が備える電気部品箱の概略構成を分解して示す分解斜視図である。
【図３】図１に示す室外機の一部を拡大して示す拡大斜視図である。
【図４】図３に示す室外機が備える袋体の変形例を示す拡大斜視図である。
【符号の説明】
【００２６】
１…室外機、２…筐体、３…圧縮機、４…熱交換器、５…送風機、６…電気部品箱、７…袋体、７ａ，７ｂ…開口部、Ｂ２，Ｂ３…塞ぎ部材、Ｄ…電気部品、Ｓ…接続線
【図１】
0005030715.tif 000002
【図２】
0005030715.tif 000003
【図３】
0005030715.tif 000004
【図４】
0005030715.tif 000005